(57)【要約】【課題】ディスクの装着後迅速にデータ記録可能な情報記録再生装置の提供。【解決手段】未初期化ディスク１の嵌合を装着センサ１７が検出し、コントローラ１１の制御で光ピックアップ１０が、ディスク１のリードイン領域一部のイニシャライズを開始し、ディスク１の機種判定を含むマウント処理時間内に終了し、ユーザデータ全領域が記録・再生自在になり、記録命令で迅速なデータ記録が可能になり、通常イニシャライズの選択で、ＤＶＤ＋ＲＷではリードイン領域のイニシャライズ後に、無アクセス時のバックグランドでユーザデータ領域のダミーデータ記録がされ、自動イニシャライズ処理ディスクが使用禁止のアプリケーションへの対応と、ＤＶＤ−ＲＯＭとの互換性向上とが可能になり、イニシャライズ変更情報は不揮発性メモリ１２に格納されユーザに通報され、現選択設定情報の把握と適確な初期化が可能で設定情報の保存で再設定の操作負担が低減可能になる。【選択図】　　　　図１
2004110962.tif 000002
【特許請求の範囲】
【請求項１】
再記録自在な情報記録媒体に情報を記録し、また、情報記録媒体の記録情報を再生する情報記録再生装置であり、
初期化実行前の情報記録媒体の装着時に、装着される情報記録媒体のリードイン領域の一部を記録設定し、前記情報記録媒体をデータ記録可能な状態にするイニシャライズ処理のみを自動的に行なう自動イニシャライズ手段を有することを特徴とする情報記録再生装置。
【請求項２】
前記自動イニシャライズ手段によるイニシャライズ処理を、装着される情報記録媒体に対して、ディスク種別と記録状態を判断し、アクセス可能な状態を設定するマウント処理内に行なわせるイニシャライズ制御手段がさらに設けられていることを特徴とする請求項１記載の情報記録再生装置。
【請求項３】
前記自動イニシャライズ手段によるイニシャライズ処理の実行を選択する選択設定手段がさらに設けられていることを特徴とする請求項１または請求項２記載の情報記録再生装置。
【請求項４】
現在の自動イニシャライズ手段の選択設定状態を通報する状態通報手段がさらに設けられていることを特徴とする請求項３記載の情報記録再生装置。
【請求項５】
前記自動イニシャライズ手段の選択設定情報を格納する不揮発性格納手段がさらに設けられていることを特徴とする請求項３または請求項４に記載の情報記録再生装置。
【発明の詳細な説明】
【０００１】
【発明の属する技術分野】
本発明は、再記録自在な情報記録媒体に対する情報・再生動作を行なう情報記録再生装置に関する。
【０００２】
【従来の技術】
当初は、レコードに代わる音楽の情報記録媒体として世に出たＣＤ（コンパクト・ディスク）は、またたく間に、ＬＰレコードに取って代り、さらに１回記録が可能なＣＤ−Ｒ、書換自在なＣＤ−ＲＷが出現し、音楽データやコンピュータのデータなどの記録に使用され、さらに、ビデオＣＤによって動画の記録も可能になった。しかし、ビデオＣＤではＭＰＥＧ１の限界で定まる分解能には、画素数からの制約があり、ここに至って、レーザ光の波長を短くすることにより、片面で約４．７Ｇバイトと、同一直径のＣＤのほぼ８倍もの大記憶容量を有する情報記録媒体ＤＶＤ（Ｄｉｇｉｔａｌ　Ｖｅｒｓａｔｉｌｅ　Ｄｉｓｋ）、ＤＶＤ＋Ｒ、ＤＶＤ＋ＲＷが出現し、音楽データ、映像データ或いはコンピュータデータの分野に広く利用されている。
【０００３】
一方では、近年ＴＶチューナを内蔵したパソコンも使用されるようになり、パソコンから直接ＴＶ番組の動画を、リアルタイムにこれら大記憶容量の情報記録媒体に記録することも行なわれている。
これらの情報記録媒体において、未だ情報の記録が行なわれず、初期化が実行されていないディスクを、情報記録再生装置に装着し情報の記録を行なう場合は、先ず、ディスクに対して、データの読み書き可能な区画整理を行なうフォーマット（初期化；イニシャライズ）と呼ばれる処理を行なうことが必要である。
一般に、ＣＤ−ＲＷに対して行なわれるフォーマットは、Ｆｉｘｅｄ　Ｐａｃｋｅｔ方式のフォーマットで、この種のフォーマットとしては、光ディスク関連の仕様を決定しているＯＳＴＡ（Ｏｐｔｉｃａｌ　Ｓｔｒａｇｅ　Ｔｅｃｈｎｏｌｏｇｙ　Ａｓｓｏｃｉａｔｉｏｎ）の提案によるＵＤＦ（ＵｎｉｖｅｒｓａｌＤｉｓｋ　Ｆｏｒｍａｔ）がよく知られている。このＵＤＦは、各種のデバイスに利用され、それぞれのデバイスの特徴に適合した記録フォーマットが採用されている。
【０００４】
この場合、ＣＤ−ＲＷでのフォーマットでは、最初にディスクのリードインと呼ばれる領域の記録設定を行なうイニシャライズが行なわれ、その後にユーザデータ領域の全面或いは、指定領域がＦｉｘｅｄ　Ｐａｃｋｅｔ単位で初期化され、この状態でフォーマット済みの領域に対して、ランダムに記録・再生が可能になる。この場合、フォーマット中は、ユーザからのアクセスはできず、フォーマットの終了までの時間は、ユーザはアクセス待機状態にある。
【０００５】
【発明が解決しようとする課題】
一方、ＤＶＤ＋ＲＷではバックグランドフォーマットが採用され、図４（ｂ）に示すように、ディスクのリードイン領域２０の記録設定を行なうイニシャライズが行なわれた後に、ユーザからのアクセスのない時に、バックグランドで、ディアイス（Ｄｅ−ｉｃｅ）と呼ばれるユーザデータ領域へのダミーデータの記録が行なわれる。
このディアイス（Ｄｅ−ｉｃｅ）中は、ユーザからの読み書き可能な状態にあり、ユーザからのアクセスにより、ディアイス（Ｄｅ−ｉｃｅ）は直ちに中止され、アクセスにより要求される動作が実行される。
その後、一定時間ユーザからのアクセスが発生しないと、ディアイス（Ｄｅ−ｉｃｅ）が再開し自動的に進行して、同図（ｃ）に示すように、ユーザデータ領域２１の全てにダミーデータを記録すると、Ｌｅａｄ−Ｏｕｔ２２とＬｅａｄ−Ｉｎ２０の残り部分に対する記録設定が行なわれ処理を終了する。
【０００６】
この場合のダミーデータ記録は、ＤＶＤでの最小記録・再生単位である１６セクタ（ＤＶＤでの１セクタは２０４８Ｂｙｔｅ）で構成されるＥＣＣ単位で行なわれ、ダミーデータは全て０データが記録される。ダミーデータの記録中、すなわちディアイス（ＤＥ−ＩＣＥ）中に、ディスク排出要求があった場合、ＴＬＯ（Ｔｅｍｐｏｒａｒｙ　Ｌｅａｄ−Ｏｕｔ）を付加して取出し、或いはそのまま取り出すといった選択が可能である。この場合、ＴＬＯを付加して取り出すと、ＴＬＯ記録のための時間がかかることになるが、ＤＶＤ−ＲＯＭとの互換性を向上させることができる。
【０００７】
ところで、ＤＶＤ＋ＲＷはその高互換性のために、ビデオテープに代えて、ビデオレコーディングに使用され、テレビの録画やディジタルビデオからの動画の記録保存に使用され、記録保存した画像をＤＶＤプレイヤーで再生することも行なわれている。
さらに、近年のように、ＴＶチューナを内蔵したパソコンから、テレビ番組の動画データがＤＶＤ＋ＲＷのような大容量の情報記録媒体に直接リアルタイムに記録が行なわれるようになると、初期化実行前の情報記録媒体の装着後に、イニシャライズの待機なしに、記録すべき動画データを迅速且つ適確に記録することが望まれる。
【０００８】
本発明は、前述したようなこの種の情報記録再生装置の動作の現状に鑑みてなされたものであり、その目的は、装着される情報記録媒体の状態を適確に判定し、装着後に迅速且つスムーズにデータ記録の実行が可能な情報記録再生装置を提供することにある。
【０００９】
【課題を解決するための手段】
前記目的を達成するために、請求項１記載の発明は、再記録自在な情報記録媒体に情報を記録し、また、情報記録媒体の記録情報を再生する情報記録再生装置であり、初期化実行前の情報記録媒体の装着時に、装着される情報記録媒体のリードイン領域の一部を記録設定し、前記情報記録媒体をデータ記録可能な状態にするイニシャライズ処理のみを自動的に行なう自動イニシャライズ手段を有することを特徴とするものである。
【００１０】
このような手段によると、初期化実行前の情報記録媒体が装着されると、自動イニシャライズ手段によって、装着される情報記録媒体のリードイン領域の一部に記録設定を行い、情報記録媒体をデータ記録可能な状態にするイニシャライズ処理のみが自動的に行なわれ、短時間で終了する自動イニシャライズ手段によるイニシャライズ処理後は、データ記録可能な状態に設定された情報記録媒体に、直ちにデータ記録が行なわれるので、初期化実行前の情報記録媒体に対するデータ記録が迅速且つスムーズに実行される。
【００１１】
同様に前記目的を達成するために、請求項２記載の発明は、請求項１記載の発明に対して、自動イニシャライズ手段によるイニシャライズ処理を、装着される情報記録媒体に対して、ディスク種別と記録状態を判断し、アクセス可能な状態を設定するマウント処理内に行なわせるイニシャライズ制御手段がさらに設けられていることを特徴とするものである。
【００１２】
このような手段によると、請求項１記載の発明での作用に加えて、イニシャライズ制御手段によって、情報記録媒体に対する自動イニシャライズ手段によるイニシャライズ処理が、装着される情報記録媒体に対して、ディスクの種別と記録状態を判断し、アクセス可能な状態を設定するマウント処理内に行なわれ、ＯＳ（Ｏｐｅｒａｔｉｎｇ　Ｓｙｓｔｅｍ）または、ライターアプリケーションからの記録処理命令の受信時には、情報記録媒体はすでに記録可能な状態にあるので、データ記録がより迅速且つ適確に実行される。
【００１３】
同様に前記目的を達成するために、請求項３記載の発明は、請求項１または請求項２記載の情報記録再生装置に対して、自動イニシャライズ手段によるイニシャライズ処理の実行を選択する選択設定手段がさらに設けられていることを特徴とするものである。
【００１４】
このような手段によると、請求項１または請求項２記載の発明での作用に加えて、選択設定手段により、自動イニシャライズ手段によるイニシャライズ処理を選択実行させることにより、自動イニシャライズのみが行なわれたデイクスが使用できないアプリケーションへの適切な対応が行なわれ、また、通常のイニシャライズでの未記録領域全域にダミーデータを記録することによりＤＶＤ−ＲＯＭとの互換性が高められる。
【００１５】
同様に前記目的を達成するために、請求項４記載の発明は、請求項３記載の発明に対して、現在の自動イニシャライズ手段の選択設定状態を通報する状態通報手段がさらに設けられていることを特徴とするものである。
【００１６】
このような手段によると、請求項３記載の発明での作用に加えて、状態通報手段によって、自動イニシャライズ手段の現在の選択設定状態が通報されるので、ユーザは、現在の自動イニシャライズの選択設定の状態を適確に把握して、情報記録媒体に対して適切な初期化処理を行なう。
【００１７】
同様に前記目的を達成するために、請求項５記載の発明は、請求項３または請求項４に記載の発明に対して、自動イニシャライズ手段の選択設定情報を格納する不揮発性格納手段がさらに設けられていることを特徴とするものである。
【００１８】
このような手段によると、請求項３または請求項４に記載の発明での作用に加えて、ユーザが選択設定手段により選択した自動イニシャライズ手段の選択設定情報が、不揮発性格納手段に格納されるので、次回動作時に設定情報が保存され、再設定のためのユーザの操作負担が低減される。
【００１９】
【発明の実施の形態】
以下に、本発明の一実施の形態を、図１ないし図４を参照して説明する。
図１本実施の形態の構成を示すブロック図、図２は本実施の形態の基本動作を示すフローチャート、図３は本実施の形態の設定変更の選択要求発生時における動作を示すフローチャート、図４は本実施の形態のイニシャライズ処理の従来のイニシャライズ処理との比較説明図である。
【００２０】
本実施の形態には、図１に示すように、モータ２の回転軸が嵌合され、モータ２の回転によって中心軸を中心に回転し、情報の記録・再生が行なわれる円盤状のディスク１が配設されており、このディスク１の周縁部には、レーザ光を照射して、ディスク１に対する情報の記録・再生を行なう光ピックアップ１０が、ディスク１の面に近接対向し、且つディスク１の半径方向に移動自在に配設されている。
また、モータ２の回転を制御する回転制御ユニット３がモータ２に接続され、粗動モータ６には、光ピックアップ１０を、ディスク１の半径方向に移動する粗動モータ制御ユニット７が接続され、光ピックアップ１０には、光ピックアップ１０の動作を制御するピックアップ制御ユニット５、及び制御動作時に各種の信号処理が行なわれる信号処理ユニット８が接続されている。
【００２１】
一方、本実施の形態には、全体の動作を制御するコントローラ１１が配設され、このコントローラ１１には、回転制御ユニット３、粗動モータ制御ユニツト７、ピックアップ制御ユニット５、及び信号処理ユニット８が接続されている。
また、コントローラ１１には、制御プログラム、ディスクＩＤ、ディスクの所定位置のアドレス情報、及び記録時のレーザパワーデータなど各種のデータが格納される不揮発性メモリ１２が接続され、同様に、コントローラ１１には、制御動作時に各種のデータが書込まれ、読み出されるバッファメモリ１３と、外部インタフェース１６とが接続され、外部インタフェース１６にはホストコンピュータ１５が接続されている。
さらに、本実施の形態では、モータ２の回転軸の近傍に、モータ２に対するディスク１の装着を検出する装着センサ１７が配設され、この装着センサ１７の出力端子はコントローラ１１に接続されている。
【００２２】
そして、本実施の形態のコントローラ１１には、初期化実行前のディスク１の装着時に、ディスク１のリードイン領域の一部を記録設定し、ディスク１を記録可能な状態にするイニシャライズ処理のみを実行することにより、ディスク１をデータ記録可能に設定する自動イニシャライズ機能と、初期化実行前のディスク１の装着時に、最初にディスク１のリードイン領域の記録設定を行なうイニシャライズを行い、その後にユーザデータ領域の全面或いは、指定領域にダミーデータを記録することにより、フォーマット済み領域をランダムに記録・再生可能にする通常イニシャライズ機能と、自動イニシャライズ機能と通常イニシャライズ機能の何れかを選択する選択機能とが設けられている。
【００２３】
このような構成の本実施の形態の基本動作を、ディスク１としてＤＶＤ＋ＲＷを使用した場合について、図２のフローチャートに従って説明する。
図２のフローチャートのステップＳ１で、ディスク１の装着を行なうと、ディスク１のモータ２の回転軸との嵌合が、装着センサ１７によって検出され、装着センサ１７からの検出信号がコントローラ１１に入力され、ステップＳ２に進んで、コントローラ１１の制御によってマウント処理が開始される。
このマウント処理では、先ず、ステップＳ３に進んでディスク１の種別判定、即ちディスク１がＤＶＤ＋ＲＷディスクであるか否かの判定が行なわれ、ディスク１がＤＶＤ＋ＲＷディスクでないと判定されると、ステップＳ６に進んで、コントローラ１１制御によって、ホストコンピュータ１５において、マウント処理の終了の通報が行なわれて処理を終了する。
また、ステップＳ３で、ディスク１がＤＶＤ＋ＲＷディスクであると判定されると、ステップＳ４に進んで、コントローラ１１の制御によって、ディスク１が初期化が行なわれていないブランクディスクであるか否かの判定が行なわれ、ディスク１にすでに初期化が施されていると判定されると、ステップＳ６に進んで、コントローラ１１制御によって、ホストコンピュータ１５において、マウント処理の終了の通報が行なわれて処理を終了する。
【００２４】
一方、ステップＳ４で、ディスク１は初期化が行なわれていないブランクディスクであると判定されると、ステップＳ５に進んで、コントローラ１１の制御によって自動イニシャライズ機能が作動し、信号処理ユニット８から光ピックアップ１０に自動イニシャライズ制御信号が供給され、光ピックアップ１０によつて、図４（ａ）に示すように、ディスク１のリードイン領域２０の一部が記録設定される自動イニシャライズが、マウント処理時間内に実行される。この自動イニシャライズによって、ディスク１はユーザデータ領域２１の全域が読み書き自在に設定され、ステップＳ６に進んで、コントローラ１１の制御によって、ホストコンピュータ１５において、マウント処理の終了の通報が行なわれる。
【００２５】
本実施の形態においては、以上に説明したように、自動イニシャライズ処理が実行されることによって、装着されたディスク１のマウント処理が終了すると直ちにデータの記録が可能になり、記録指令が発生すると、ユーザデータ領域２１がフォーマットされない状態で直ちにデータ記録が行なわれる。
ところが、特定のアプリケーションでは、リードイン領域２０の一部のみがイニシャライズされたディスク１が使用できないことがあり、また、ＤＶＤ＋ＲＷでは、ユーザデータ領域２１にディアイス（Ｄｅ−ｉｃｅ）により、ダミーデータを記録して未記録領域のない状態にすることにより、ＤＶＤ−ＲＯＭとの互換性が高くなることが知られている。
【００２６】
このために、本実施の形態のコントローラ１１には、すでに述べたように、自動イニシャライズ機能と通常イニシャライズ機能との何れかを選択する選択機能が設けられている。そして、ホストコンピュータ１５からのユーザの選択指令によって、通常イニシャライズ処理が選択実行されると、例えばＤＶＤ＋ＲＷの場合には、バックグランドフォーマット方式での処理が行なわれ、ディスク１のリードイン領域２０の記録設定を行なうイニシャライズが行なわれた後に、ユーザからのアクセスのない時に、バックグランドで、ディアイス（Ｄｅ−ｉｃｅ）と呼ばれる処理によって、ユーザデータ領域２１へのダミーデータの記録が行なわれる。
【００２７】
ここで、本実施の形態の設定変更の選択要求発生時における動作を、図３のフローチャートに従って説明する。
図３のフローチャートのステップＳ１１において、コントローラ１１が、外部インターフェース１６を介して、ホストコンピュータ１５から設定変更選択指令を受信すると、ステップＳ１２に進んで、コントローラ１１の制御によって、受信した設定変更選択指令が、自動イニシャライズ処理への設定変更指令であるか否かの判定が行なわれる。
【００２８】
ステップＳ１２で、自動イニシャライズ処理への設定変更指令であると判定されると、ステップＳ１３に進んで、コントローラ１１の制御によって、自動イニシャライズ設定変更処理が行なわれ、ステップＳ１５に進んで、該設定変更処理で得られる変更情報が、コントローラ１１の制御によって、不揮発性メモリ１２に格納される。
一方、ステップＳ１２で、自動イニシャライズ処理への設定変更指令でなく、通常イニシャライズ処理への設定変更指令であると判定されると、ステップＳ１４に進んで、コントローラ１１の制御によって、通常のイニシャライズ設定変更処理が行なわれ、ステップＳ１５に進んで、該設定変更処理で得られる変更情報が、コントローラ１１の制御によって、不揮発性メモリ１２に格納される。
そして、ステップＳ１５からステップＳ１６に進み、コントローラ１１の制御によって、ホストコンピュータ１５において、設定変更情報がユーザに通報される。
【００２９】
以上に説明したように、本実施の形態によると、初期化実行前のディスク１が装着され、モータ２の回転軸にディスク１が嵌合されると、装着センサ１７から検出信号がコントローラ１１に入力され、コントローラ１１の制御によって、信号処理ユニット８から自動イニシャライズ制御信号が光ピックアップ１０に入力されると共に、コントローラ１１の制御によって、装着されたディスク１の機種判定、該ディスク１が初期化されているか否かの判定、ディスク機種に対応する反射率データの取得、ディスクの特定領域の記録情報のチェックなどのマウント処理が実行される。
そして、自動イニシャライズ制御信号によって、光ピックアップ１０によって、ディスク１のリードイン領域２０の一部が記録設定される自動イニシャライズが、前述のマウント処理時間内に実行され、この自動イニシャライズによって、ディスク１はユーザデータ領域２１の全域が読み書き自在に設定されるので、ＯＳ（Ｏｐｅｒａｔｉｎｇ　Ｓｙｓｔｅｍ）または、ライターアプリケーションからの記録処理命令の受信時には、ディスク１は記録可能な状態にあり、データ記録を迅速且つ適確に実行することが可能になる。
【００３０】
また、本実施の形態では、コントローラ１１がホストコンピュータ１５から設定変更選択指令を受信し、受信した設定変更選択指令が、通常イニシャライズ処理への設定変更指令であると、コントローラ１１の制御によって、信号処理ユニット８から通常イニシャライズ制御信号が光ピックアップ１０に入力され、この通常イニシャライズ制御信号によって、光ピックアップ１０によって、通常イニシャライズ処理が行なわれる。
この通常イニシャライズ処理では、例えばＤＶＤ＋ＲＷの場合には、バックグランドフォーマット方式で処理が行なわれ、ディスク１のリードイン領域２０の記録設定を行なうイニシャライズが行なわれた後に、ユーザからのアクセスのない時に、バックグランドで、ディアイス（Ｄｅ−ｉｃｅ）と呼ばれる処理によって、ユーザデータ領域２１へのダミーデータの記録が行なわれる。
【００３１】
この通常イニシャライズ処理によって、リードイン領域２０の一部のみがイニシャライズされたディスク１が使用できない特定のアプリケーションに対応することが可能になり、またＤＶＤ＋ＲＷでは、ユーザデータ領域２１にディアイス（Ｄｅ−ｉｃｅ）により、ダミーデータを記録して未記録領域のない状態にすることにより、ＤＶＤ−ＲＯＭとの互換性を高めることも可能になる。
さらに、コントローラ１１の制御によって、発生した設定変更情報は、不揮発性メモリ１２に格納されると共に、ホストコンピュータ１５において、ユーザに通報されるので、ユーザは現在の自動イニシャライズの選択設定の状態を適確に把握して、情報記録媒体に適切な初期化処理を行なわせることが可能になり、次回動作時に設定情報が保存され、再設定のためのユーザの操作負担の低減が可能になる。
【００３２】
【発明の効果】
請求項１記載の発明によると、再記録自在な情報記録媒体に情報が記録され、また、情報記録媒体の記録情報の再生が行なわれるが、初期化実行前の情報記録媒体が装着されると、自動イニシャライズ手段によって、装着される情報記録媒体のリードイン領域の一部に記録設定を行い、情報記録媒体をデータ記録可能な状態にするイニシャライズ処理のみが自動的に行なわれるので、短時間で終了する自動イニシャライズ手段によるイニシャライズ処理後は、データ記録可能な状態に設定された情報記録媒体に、直ちにデータ記録を行なうことができ、初期化実行前の情報記録媒体に対するデータ記録を迅速且つスムーズに実行することが可能になる。
【００３３】
請求項２記載の発明によると、請求項１記載の発明で得られる効果に加えて、イニシャライズ制御手段によって、情報記録媒体に対する自動イニシャライズ手段によるイニシャライズ処理が、装着される情報記録媒体に対して、ディスクの種別と記録状態を判断し、アクセス可能な状態を設定するマウント処理内に行なわれるので、ＯＳ（Ｏｐｅｒａｔｉｎｇ　Ｓｙｓｔｅｍ）または、ライタアプリケーションからの記録処理命令の受信時には、情報記録媒体はすでに記録可能な状態にあり、データ記録をより迅速且つ適確に実行することが可能になる。
【００３４】
請求項３記載の発明によると、請求項１または請求項２記載の発明で得られる効果に加えて、選択設定手段により、自動イニシャライズ手段によるイニシャライズ処理を選択実行させることにより、自動イニシャライズのみが行なわれたデイクスが使用できないアプリケーションに適切に対応し、また、通常イニシャライズでの未記録領域全域にダミーデータを記録することによりＤＶＤ−ＲＯＭとの互換性を高めることも可能になる。
【００３５】
請求項４記載の発明によると、請求項３記載の発明で得られる効果に加えて、状態通報手段によって、自動イニシャライズ手段の現在の選択設定状態が通報されるので、ユーザは、現在の自動イニシャライズの選択設定の状態を適確に把握して、情報記録媒体に適切な初期化処理を行なわせることが可能になる。
【００３６】
請求項５記載の発明によると、請求項３または請求項４に記載の発明で得られる効果に加えて、ユーザが選択設定手段により選択した自動イニシャライズ手段の選択設定情報が、不揮発性格納手段に格納されるので、次回動作時に設定情報が保存され、再設定のためのユーザの操作負担の低減が可能になる。
【図面の簡単な説明】
【図１】本発明の一実施の形態の構成を示すブロック図である。
【図２】同実施の形態の基本動作を示すフローチャートである。
【図３】同実施の形態の設定変更の選択要求発生時における動作を示すフローチャートである。
【図４】同実施の形態のイニシャライズ処理の従来のイニシャライズ処理との比較説明図である。
【符号の説明】
１　ディスク
５　ピックアップ制御ユニット
８　信号処理ユニット
１０　光ピックアップ
１１　コントローラ
１２　不揮発性メモリ
１５　ホストコンピュータ
１７　装着センサ
２０　リードイン領域
２１　ユーザデータ領域
２２　リードアウト領域
【図１】
2004110962.tif 000003
【図２】
2004110962.tif 000004
【図３】
2004110962.tif 000005
【図４】
2004110962.tif 000006